(57)【要約】【課題】少量の測定血液で精度良く測定する血液凝固時間測定装置を提供する。【解決手段】測定流路４０を上下に斜め状態まで揺動させて測定流路４０内の測定血液を往復移動させる。測定血液の凝固が進行すると測定流路４０の底部に付着する測定血液の層が厚くなり、透過する光量が減少して受光検出手段での受光量が低下する。そして、揺動開始の初期の受光量の信号値に対して、測定血液の凝固により信号値が変化する。そこで、初期の信号値に対して変化した信号値の変化分が所定の割合となると測定血液が凝固したと判別手段９２で判定する。揺動開始から判別信号が出力されるまでの時間を時間測定手段９４で計測してこれを表示手段１８で表示する。もって、測定血液の凝固時間を表示することができる。【選択図】  図１０
2015200612.tif 000002
【特許請求の範囲】
【請求項１】
測定装置本体と測定カートリッジを備え、透明材からなる前記測定カートリッジに測定血液を収容する断面積に対して長い測定流路を設け、前記測定装置本体には、前記測定カートリッジを収容し得るカートリッジ収容部材を揺動自在に設けるとともに、前記カートリッジ収容部材を前記測定カートリッジを収容した状態で前記測定流路の長さ方向に水平状態を経て長さ方向の端部が上下移動して斜め状態に傾くように揺動させる揺動機構を設け、前記測定流路を上下方向に挟むように発光装置と受光装置とからなる受光検出手段を前記カートリッジ収容部材に配設し、前記測定流路が斜めに傾いた状態でしかも前記受光検出手段に臨む位置に前記測定血液が溜まっていない状態で前記受光装置による受光量に応じた信号値を検出して記憶するとともに演算して判別信号を出力する判別手段を設け、前記揺動機構による揺動開始から前記判別信号が出力されるまでの時間を計測する時間測定手段を設け、前記時間測定手段で測定された時間を前記測定血液の血液凝固時間として表示する表示手段を設け、前記測定流路に所定量の前記測定血液を投入して前記測定カートリッジを前記カートリッジ収容部材に収容した状態で、前記揺動機構で前記カートリッジ収容部材を揺動させて前記測定流路に投入された前記測定血液を前記測定流路内で往復移動させ、前記判別手段はこの往復移動の開始により初期に得られた前記信号値に対して時間が経過して前記信号値が変化しその変化分が所定の割合以上となると判別信号を出力し、前記時間測定手段で計測された時間を前記表示手段で表示するように構成したことを特徴とする血液凝固時間測定装置。
【請求項２】
請求項１記載の血液凝固時間測定装置において、前記測定流路内に長さ方向に往復動自在で前記測定血液より比重が重い部材からなる回転部材を配設し、前記揺動機構による揺動で、前記回転部材が前記測定流路内の一端側から他端側まで回転しながら往復移動するように構成したことを特徴とする血液凝固時間測定装置。
【請求項３】
請求項２記載の血液凝固時間測定装置において、前記回転部材を球体で構成したことを特徴とする血液凝固時間測定装置。
【請求項４】
請求項２または３記載の血液凝固時間測定装置において、前記測定流路の底部に長さ方向の溝を設け、この溝の幅を前記回転部材が溝底部に当接しないようにし、前記溝内に血液凝固促進剤を塗布配設して構成したことを特徴とする血液凝固時間測定装置。
【請求項５】
請求項１記載の血液凝固時間測定装置において、前記受光検出手段を前記測定流路の長さ方向の中央部に臨んで配設し、前記揺動機構が前記測定カートリッジの前記測定流路が一方に斜めに傾いた状態から他方の斜めに傾いた状態とするために揺動状態を切り換えるときに、前記判別手段が前記受光装置による受光量に応じた信号値を検出するように構成したことを特徴とする血液凝固時間測定装置。
【請求項６】
請求項１記載の血液凝固時間測定装置において、前記カートリッジ収容部材に前記測定カートリッジを前記測定流路の長さ方向に挿入して収容できるカートリッジ挿入孔を設け、前記測定装置本体に外側から前記カートリッジ挿入孔に前記測定カートリッジを挿入できるように開口部を設け、前記カートリッジ収容部材の揺動軸を前記測定装置本体内で外側に近い位置に設けて前記測定カートリッジの挿入方向の先端側が上下に揺動するように構成したことを特徴とする血液凝固時間測定装置。
【請求項７】
請求項１記載の血液凝固時間測定装置において、前記測定カートリッジに上方が開口した血液注入口を設けてその底部側を連通路により前記測定流路の一端側に連通し、前記測定カートリッジにシリンダ機構を設けてそのピストンの移動で内容積が大きくなる圧力室を第２連通路で前記測定流路の他端側に連通し、前記カートリッジ収容部材に前記シリンダ機構の前記ピストンを所定長さだけ移動させるロッドスライド機構を設け、前記ロッドスライド機構の駆動により前記ピストンを所定長さだけ移動させて前記血液注入口に投入された前記測定血液を前記測定流路内に所定量だけ吸引するように構成したことを特徴とする血液凝固時間測定装置。
【請求項８】
請求項７記載の血液凝固時間測定装置において、前記カートリッジ収容部材に前記測定カートリッジを前記測定流路の長さ方向に挿入して収容できるカートリッジ挿入孔を設け、前記測定装置本体に外側から前記カートリッジ挿入孔に前記測定カートリッジを挿入できるように開口部を設け、前記カートリッジ挿入孔に前記測定カートリッジを挿入した状態で、前記ロッドスライド機構の駆動により前記ピストンを移動させるさいに、前記測定カートリッジが前記カートリッジ挿入孔から抜け出さないようにするカートリッジ係止機構を前記カートリッジ収容部材に設けて構成したことを特徴とする血液凝固時間測定装置。
【発明の詳細な説明】
【技術分野】
【０００１】
本発明は、血液が凝固するまでの時間を測定するための血液凝固時間測定装置に関するものである。
【背景技術】
【０００２】
人工透析や循環器系の手術等にあっては、血液を体外に取り出し、再び体内に戻しながら行われる。体外に取り出された血液は時間が経過すると凝固が進行し、体内に戻すのに不適当なものとなる。この血液の凝固を阻止するために、抗凝固剤が投与されるが、かかる抗凝固剤の作用効果は人体の作用により減少させられ、血液の凝固が始まる前に抗凝固剤を再度投与する必要がある。そこで、血液が自然に凝固する前に、血液が凝固するであろう時間が予測できれば、適切な時点で抗凝固剤を再び投与することができる。ここで、体外に取り出された血液を撹拌し、また血液に凝固促進剤を混ぜると、血液の凝固が促進される。かかる現象を利用して、血液の凝固を促進しその凝固する時間が測定すれば、その測定時間から凝固促進剤を混ぜない状態での血液凝固時間の予測が可能であり、また血液を撹拌しない場合の血液凝固時間の予測が可能となる。かかる目的から、体外に取り出された血液の凝固時間を測定する種種の技術が提案されている。その一例として、米国特許第５３７２９４６号公報（特許文献１）には、測定装置と測定容器からなり、測定容器に設けた測定用毛細管に測定血液を投入してこれを測定装置に挿入し、測定装置に設けた空気ポンプのポンプ圧の増減で測定用毛細管内の測定血液を狭窄部を通過させて往復移動させ、この往復移動に要する時間の変化から血液の凝固時間を測定する技術が示されている。
【特許文献１】米国特許第５３７２９４６号公報
【発明の開示】
【発明が解決しようとする課題】
【０００３】
上述の特許文献１に記載された技術にあっては、測定装置に設けられた空気ポンプと、測定装置に挿入された測定容器の測定用毛細管を、気密構造で連通する必要がある。何故ならば、仮に気密構造で連通されずに空気が漏れたとすると、所定のポンプ圧の増減が得られず、当然に測定血液の往復移動に要する時間が相違したものとなる。この測定装置に単に測定容器を挿入するだけで、空気ポンプと測定用毛細管を気密構造で連通させる構造は、測定装置および測定容器のいずれにもその形状に高い寸法精度が不可欠である。
【０００４】
本発明は、かかる従来技術の事情に鑑みてなされたもので、構造が簡単な血液凝固時間測定装置を提供することを目的とする。また、少量の測定血液でも血液凝固時間を精度良く測定できる血液凝固時間測定装置を提供することを目的とする。
【課題を解決するための手段】
【０００５】
かかる目的を達成するために、本発明の血液凝固時間測定装置は、測定装置本体と測定カートリッジを備え、透明材からなる前記測定カートリッジに測定血液を収容する断面積に対して長い測定流路を設け、前記測定装置本体には、前記測定カートリッジを収容し得るカートリッジ収容部材を揺動自在に設けるとともに、前記カートリッジ収容部材を前記測定カートリッジを収容した状態で前記測定流路の長さ方向に水平状態を経て長さ方向の端部が上下移動して斜め状態に傾くように揺動させる揺動機構を設け、前記測定流路を上下方向に挟むように発光装置と受光装置とからなる受光検出手段を前記カートリッジ収容部材に配設し、前記測定流路が斜めに傾いた状態でしかも前記受光検出手段に臨む位置に前記測定血液が溜まっていない状態で前記受光装置による受光量に応じた信号値を検出して記憶するとともに演算して判別信号を出力する判別手段を設け、前記揺動機構による揺動開始から前記判別信号が出力されるまでの時間を計測する時間測定手段を設け、前記時間測定手段で測定された時間を前記測定血液の血液凝固時間として表示する表示手段を設け、前記測定流路に所定量の前記測定血液を投入して前記測定カートリッジを前記カートリッジ収容部材に収容した状態で、前記揺動機構で前記カートリッジ収容部材を揺動させて前記測定流路に投入された前記測定血液を前記測定流路内で往復移動させ、前記判別手段はこの往復移動の開始により初期に得られた前記信号値に対して時間が経過して前記信号値が変化しその変化分が所定の割合以上となると判別信号を出力し、前記時間測定手段で計測された時間を前記表示手段で表示するように構成されている。
【０００６】
そして、前記測定流路内に長さ方向に往復動自在で前記測定血液より比重が重い部材からなる回転部材を配設し、前記揺動機構による揺動で、前記回転部材が前記測定流路内の一端側から他端側まで回転しながら往復移動するように構成しても良い。
【０００７】
さらに、前記回転部材を球体で構成することもできる。
【０００８】
また、前記測定流路の底部に長さ方向の溝を設け、この溝の幅を前記回転部材が溝底部に当接しないようにし、前記溝内に血液凝固促進剤を塗布配設して構成しても良い。
【０００９】
そしてまた、前記受光検出手段を前記測定流路の長さ方向の中央部に臨んで配設し、前記揺動機構が前記測定カートリッジの前記測定流路が一方に斜めに傾いた状態から他方の斜めに傾いた状態とするために揺動状態を切り換えるときに、前記判別手段が前記受光装置による受光量に応じた信号値を検出するように構成することもできる。
【００１０】
そしてさらに、前記カートリッジ収容部材に前記測定カートリッジを前記測定流路の長さ方向に挿入して収容できるカートリッジ挿入孔を設け、前記測定装置本体に外側から前記カートリッジ挿入孔に前記測定カートリッジを挿入できるように開口部を設け、前記カートリッジ収容部材の揺動軸を前記測定装置本体内で外側に近い位置に設けて前記測定カートリッジの挿入方向の先端側が上下に揺動するように構成すことも可能である。
【００１１】
また、前記測定カートリッジに上方が開口した血液注入口を設けてその底部側を連通路により前記測定流路の一端側に連通し、前記測定カートリッジにシリンダ機構を設けてそのピストンの移動で内容積が大きくなる圧力室を第２連通路で前記測定流路の他端側に連通し、前記カートリッジ収容部材に前記シリンダ機構の前記ピストンを所定長さだけ移動させるロッドスライド機構を設け、前記ロッドスライド機構の駆動により前記ピストンを所定長さだけ移動させて前記血液注入口に投入された前記測定血液を前記測定流路内に所定量だけ吸引するように構成しても良い。
【００１２】
さらに、前記カートリッジ収容部材に前記測定カートリッジを前記測定流路の長さ方向に挿入して収容できるカートリッジ挿入孔を設け、前記測定装置本体に外側から前記カートリッジ挿入孔に前記測定カートリッジを挿入できるように開口部を設け、前記カートリッジ挿入孔に前記測定カートリッジを挿入した状態で、前記ロッドスライド機構の駆動により前記ピストンを移動させるさいに、前記測定カートリッジが前記カートリッジ挿入孔から抜け出さないようにするカートリッジ係止機構を前記カートリッジ収容部材に設けて構成することもできる。
【発明の効果】
【００１３】
請求項１記載の血液凝固時間測定装置にあっては、測定流路内の測定血液を揺動により測定流路内を往復移動させると、測定血液の凝固が始まり測定流路の底部に付着する。往復移動の続行で凝固により測定流路の底部に付着した測定血液の層の厚さが増加する。この底部に付着した測定血液の層の厚さが増大するほど透過する光量が減少し、受光手段での受光量が低下する。そして、揺動開始の初期の受光量に対して所定の割合で受光量が低下したことにより測定血液が凝固したと判定できる。そこで、判別手段が初期に得られた受光量の信号値に対して時間の経過により受光量の信号値が変化し、その変化分が所定の割合以上となると判別信号を出力し、揺動開始から判別信号が出力されるまでの時間を時間測定手段で計測しこれを表示手段で表示し、もって測定血液の凝固時間を表示することができる。
【００１４】
そして、請求項２記載の血液凝固時間測定装置にあっては、測定流路内に長さ方向に往復動自在で測定血液より比重が重い部材からなる回転部材を配設しているので、揺動による測定流路の傾斜で回転部材が測定流路内の一端側から他端側まで回転しながら往復移動し、回転部材に付着した測定血液を引っ張るようにして測定流路の表面張力に抗して測定流路内で往復移動させることができる。
【００１５】
さらに、請求項３記載の血液凝固時間測定装置にあっては、回転部材を球体で構成しているので、測定流路内での回転が円滑であり、測定流路の壁等との接触も少なく、回転部材の移動が阻害されるようなことがない。
【００１６】
また、請求項４記載の血液凝固時間測定装置にあっては、測定流路の底部に長さ方向の溝を設け、この溝内に血液凝固促進剤を塗布配設しているが、溝の幅を回転部材が溝底部に当接しないようにしているので、回転部材により血液凝固剤の塗布が破損されることがない。測定カートリッジの運搬等の際に、血液凝固剤の塗布が破損されるような不具合が生ずることがない。
【００１７】
そしてまた、請求項５記載の血液凝固時間測定装置にあっては、受光検出手段を測定流路の長さ方向の中央部に臨んで配設し、測定流路が一方に斜めに傾いた状態から他方の斜めに傾いた状態とするために揺動状態を切り換えるときに、判別手段が受光量に応じた信号値を検出するようにしたので、揺動機構の制御に応じて容易かつ簡単な構成で信号値の検出が可能である。また、測定流路の先端側が斜め上方に最も傾斜したときと斜め下方に最も傾いたときの、一往復の揺動で２回の検出が可能であり、信号値の検出間隔を短いものとすることができる。
【００１８】
そしてまた、請求項６記載の血液凝固時間測定装置にあっては、測定装置本体の外側から測定カートリッジを測定流路の長さ方向に挿入できるようにし、カートリッジ収容部材の揺動軸を測定装置本体内で外側に近い位置に設け、測定カートリッジの挿入方向の先端側が上下に揺動するようにしたので、測定装置本体に測定カートリッジを挿入するための構造が、比較的に簡単に構成できる。しかも、測定カートリッジを測定装置本体に挿入するために測定装置本体に設けた開口部が、小さなもので足りる。
【００１９】
さらに、請求項７記載の血液凝固時間測定装置にあっては、測定カートリッジに組み込んだシリンダ機構により、所定量の測定血液を測定流路内に吸引できるので、測定流路内の測定血液の量のバラツキによる測定精度の不良がない。しかも、血液を吸引するシリンダ機構が測定カートリッジに組み込まれているので、確実な気密構造が得られ、吸引する圧力にバラツキがなく、精度良く所定量の血液を測定流路内に吸引することができる。
【００２０】
さらにまた、請求項８記載の血液凝固時間測定装置にあっては、測定カートリッジがカートリッジ収容部材のカートリッジ挿入孔から抜け出さないようにするカートリッジ係止機構を設けているので、ロッドスライド機構の駆動によりピストンを移動させるさいに、ピストンと共に測定カートリッジがカートリッジ挿入孔から抜け出るような不具合を生じない。
【発明を実施するための最良の形態】
【００２１】
以下、本発明の血液凝固時間測定装置の第１実施例につき、図１ないし図１５を参照して説明する。図１は、本発明の血液凝固時間測定装置の第１実施例の外観斜視図であり、測定装置本体と測定カートリッジからなり、測定装置本体に測定カートリッジを挿入する前の状態を示す。図２は、図１の状態から、測定装置本体に測定カートリッジを挿入した状態を示す図である。図３は、図２の状態の測定装置本体の内部を示す一部切り欠き図であり、（ａ）は一部切り欠き正面図であり、（ｂ）は（ａ）のＡ−Ａで一部切り欠いた側面図である。図４は、測定装置本体内に設けられたカートリッジ収容部材の縦断面図と揺動機構を示す図である。図５は、測定装置本体内でのカートリッジ収容部材の動きを示す図であり、（ａ）は先端部を斜め上方に揺動させた状態であり、（ｂ）は先端部を斜め下方に揺動させた状態である。図６は、測定カートリッジの構造を示す図であり、（ａ）は一部切り欠き平面図であり、（ｂ）は左側面図であり、（ｃ）は（ａ）のＡ−Ａ断面矢視図であり、（ｄ）は（ａ）のＢ−Ｂ断面矢視図である。図７は、測定カートリッジに設けられた測定流路の構造を示し、（ａ）は平面図であり、（ｂ）は（ａ）のＡ−Ａ断面矢視図であり、（ｃ）は（ａ）のＢ−Ｂ断面矢視拡大図である。図８は、測定カートリッジに設けられたシリンダ機構のピストンをロッドスライド機構のロッドで押圧することを示す図である。図９は、シリンダ機構のピストンが押圧されて移動することで測定流路に所定量の測定血液が吸引されることを示す図であり、（ａ）のピストンがまだ押圧移動されていない状態では、（ｂ）のごとく測定血液は血液注入口に投入されたままの状態にあり、（ｃ）のごとくピストンが押圧移動されると、（ｄ）のごとく血液注入口の測定血液の一部が測定流路への連通路まで吸引され、（ｅ）のごとくさらにピストンが所定長さまで押圧移動されると、（ｆ）のごとく血液注入口の所定量の測定血液が連通路を経て測定流路へと吸引される。図１０は、カートリッジ収容部に測定カートリッジを収容した状態で、揺動させたときの測定流路内の測定血液と球体の状態を示し、（ａ）の先端側を斜め下方に最も下げた状態から、先端側を上げてゆくと（ｂ）〜（ｅ）を経て（ｆ）の先端側を斜め上方に最も上げた状態となり、揺動方向が切り換えられて、先端側を下げてゆくと（ｇ）〜（ｊ）を経て、再び（ａ）の状態となる。図１１は、図１０の揺動により受光検出手段の受光装置で得られる受光量に応じた信号値の変化を示す図である。図１２は、揺動を開始させてから時間が経過することにより、測定血液の凝固が進むと、測定流路を斜めにした状態で受光検出手段に臨む位置で測定流路に付着する測定血液の層の厚さが変化することを示す図である。図１３は、ロッドスライド機構でシリンダ機構のピストンを押圧した際に、測定カートリッジがカートリッジ収容部材から抜け出るのを阻止するためのカートリッジ係止機構を示す図であり、（ａ）は測定カートリッジを所定位置まで挿入する前の切り欠き平面図であり、（ｂ）は測定カートリッジが所定位置まで挿入されて係止された状態の切り欠き平面図である。図１４は、血液凝固時間を測定するための機能ブロック図である。図１５は、図１４の機能ブロック図における動作を説明するフローチャートである。
【００２２】
第１実施例において、本発明の血液凝固時間測定装置は、図１に示すように、測定装置本体１０と測定カートリッジ１２により構成される。測定装置本体１０には、操作手段としての電源スイッチ１４やスタートスイッチ１６および凝固時間を表示するために表示手段１８が設けられ、さらに測定カートリッジ１２を測定装置本体１０内に挿入して収容し得るように開口部２０が設けられている。図２に示すように、測定装置本体１０に測定カートリッジ１２を長さ方向に挿入し、この挿入状態で測定カートリッジ１２の挿入後端部が測定装置本体１０の外側に位置し、後述する血液注入口２２に測定血液を注入できる状態とされる。測定装置本体１０内において、図３および図４に示すごとく、測定カートリッジ１２が挿入されてこれを収容し得るカートリッジ挿入孔２４が設けられたカートリッジ収容部材２６が、カートリッジ挿入孔２４の開口を測定装置本体１０の開口部２０に臨むようにして、揺動軸２８により揺動自在に配設される。カートリッジ収容部材２６には、ガイドピン３０が設けられ、測定装置本体１０に設けられた揺動機構３２のカム３４が当接している。このカム３４は、モーター３６により回転駆動され、その回転状態がフォトインタラプタ３８により検出されて、回転方向の切り換え制御がなされる。よって、カートリッジ収容部材２６がカム３４の回転により揺動させられる。さらに、カートリッジ収容部材２６には、挿入収容された状態の測定カートリッジ１２の中央部に臨んで、後述する測定流路４０に臨んでこれを上下方向に挟むように発光装置４２と受光装置４４が配設される。これらの発光装置４２と受光装置４４で受光検出手段が構成される。また、カートリッジ挿入孔２４に測定カートリッジ１２が適切に挿入されたことを検出するためのリミットスイッチ４６がカートリッジ挿入孔２４の奥の位置に配設される。さらに、測定カートリッジ１２を所定温度に維持するためヒーター４８と温度センサー５０が配設される。そして、カートリッジ収容部材２６には、測定カートリッジ１２に設けられた後述するシリンダ機構５２のピストン５４を押圧移動させるためのロッドスライド機構５６が設けられている。揺動機構３２のカム３４の回転により、図５に示すごとく、カートリッジ収容部材２６が、（ａ）に示すごとく先端側が斜め上方に上げられた状態と、（ｂ）に示すごとく先端部が斜め下方に下げられた状態との間で揺動させられる。先端部が斜め上方に最も上げられた状態と先端部が斜め下方に最も下げられた状態とは、カム３４の位置がフォトインタラプタ３８により検出されて、後述するマイクロコンピュータ９０により適宜に制御されて、揺動方向の切り換えがなされる。
【００２３】
測定カートリッジ１２は、図６と図７に示すごとく、全体が樹脂等の透明部材からなる偏平形状であり、上下の面がそれぞれ薄い封止材５８、５８で覆われている。一例として、長さが約８０ｍｍ、幅が約２５ｍｍ、厚さが約８ｍｍである。そして、中心部材６０に長さ方向に長いの測定流路４０が上方から切削されて設けられ、その底部に長さ方向に幅の細い溝６２、６２が設けられる。測定流路４０は、一例として長さ約２５ｍｍで、幅は約５ｍｍで、深さは約７ｍｍである。また、中心部材６０の挿入後端部側に上方から血液注入口２２が切削されて設けられる。さらに、中心部材６０の挿入先端面からシリンダ機構５２のシリンダ壁６４となる孔が深く穿設される。なお、この孔は、開口側が大きな径で途中で段差を設けて穿設される。さらに、この孔の穿設先端部に中心部材６０の外側と連通する空気抜き孔６６が穿設される。そして、中心部材６０に下方から血液注入口２２の底部と測定流路４０の一端部の底部を連通する連通路６８として幅が狭く深さの浅い溝が切削されて設けられる。また、中心部材６０に下方から測定流路４０の他端部の底部とシリンダ機構５２のピストン５４の移動で内容積が大きくなる圧力室を連通する第２連通路７０として幅が狭く深さの浅い溝が切削されて設けられる。測定流路４０は上面に設けた封止材５８により蓋がなされ、連通路６８と第２連通路７０は下面に設けた封止部材５８により蓋がなされる。シリンダ機構５２のシリンダ壁６４となる孔には、先端側の径の小さい孔のシリンダ壁６４に密着して摺動するガスケット７２を設けたピストン５４が挿入される。また、孔の大きな径の段差の部分にピストン５４が貫通するブッシュ７４が配設される。ガスケット７２とブッシュ７４の間の圧力室が、ピストン５４の移動によりその内容積が増大するシリンダ機構５２が構成されている。さらに、測定流路４０の底に穿設した溝６２、６２内に凝固促進剤７６が塗布されている。測定流路４０内には、図７に示すごとく、血液より比重の重い鉄等からなる回転部材としての球体７８が測定流路４０内を長さ方向に移動自在に配設される。この球体７８の径は、一例として約４ｍｍであり、この球体７８の径に対して、底部の溝６２、６２の幅が狭く穿設されていて、球体７８が溝６２、６２内に入らず、溝底部に当接しないように構成される。そこで、溝６２、６２内に塗布された凝固促進剤７６に球体７８が当接することがない。
【００２４】
また、図８に示すごとく、カートリッジ収容部材２６に設けられたロッドスライド機構５６のロッド８０が、カートリッジ収容部材２６に挿入収容された測定カートリッジ１２のシリンダ機構５２のピストン５４に臨むように配設される。このロッド８０が突出してシリンダ壁６４となる孔に挿入されてピストン５４を所定寸法だけ押圧移動させる。このロッド８０の突出寸法は、後述するフォトインタラプタ１０４とマイクロコンピュータ９０により適宜検出制御される。このピストン５４の移動により、ピストン５４に固定されたガスケット７２とシリンダ壁６４に固定されているブッシュ７４の間の寸法が大きくなり、ガスケット７２とブッシュ７４の間の圧力室の内容積が増大して負圧を生ずる。ロッドスライド機構５２は、例えば、モーターで回転する雌ねじ部材に軸回りに回転しない雄ねじ部材を螺合させた構造であり、この雄ねじ部材の突出寸法をフォトインタラプタ１０４で検出している。そこで、図９において、（ａ）に示すようにピストン５４が移動する前は測定流路４０に負圧が作用しておらず、（ｂ）に示すように血液注入口２２に注入された測定血液は表面張力により連通路６８にも流入することがない。しかし、（ｃ）に示すようにピストン５４が押圧移動されて圧力室に負圧が生ずると、（ｄ）に示すように血液注入口２２に注入された測定血液は表面張力に抗して連通路６８に流入する。さらに、（ｅ）に示すようにピストン５４がさらに所定寸法だけ押圧移動されて圧力室の負圧が大きくなると、（ｆ）に示すように血液注入口２２に注入された測定血液は連通路６８を経て測定流路４０に所定量が吸引される。この測定流路４０に吸引される測定血液は、一例として０．０８ｃｃであり、測定流路４０の全体の内容積に比較して僅かである。
【００２５】
測定流路４０内に吸引された測定血液は、測定流路４０を長さ方向に傾けて揺動させても、測定流路４０の内壁が測定血液で濡れていない状態では、表面張力により自重により流れて移動するようなことはない。そこで、測定流路４０を長さ方向に傾けて何回か揺動させると、測定流路４０内の球体７８が自重により回転移動して測定流路４０の端部まで移動する。このときに測定流路４０の一端部に吸引された測定血液が球体７８に付着し、球体７８が他端部側に回転移動する際に引っ張られながら移動し、測定流路４０の内壁を濡らし、測定血液が自重により流れ得るようになる。
【００２６】
揺動機構３２の駆動によりカートリッジ収容部材２６が揺動されて、測定流路４０が長さ方向に揺動されたときの測定流路４０内の測定血液の状態を図１０および図１１により説明する。図１０（ａ）に示すように測定カートリッジ１２の挿入先端側が下方斜めに最も下げられた状態では、球体７８は先端側にあり、測定血液も先端側に溜まった状態である。この状態では、受光検出手段の光軸が通過する測定流路４０の中央部の底に付着している測定血液の厚さは薄いものである。そこで、図１１（ａ）で示すように透過する光量が多くて受光量に応じた信号値は大きなものとなる。そして、図１０（ｂ）に示すように測定カートリッジ１２の挿入先端側を少し上げるように揺動させた状態では、球体７８は未だ先端側にあるが、測定血液はその表面が水平となるように少し流動して、測定流路４０の中央部の測定血液の厚さが少し厚くなる。そこで、図１１（ｂ）で示すように受光量に応じた信号値は少し減少する。さらに、図１０（ｃ）に示すように測定カートリッジ１２の挿入先端側を少し上げて測定流路４０が水平状態となると、球体７８は未だ先端側にあるが、測定血液はその表面が水平となるようにさらに流動して、測定流路４０の中央部の測定血液がさらに厚くなる。そこで、図１１（ｃ）で示すように受光量に応じた信号値はさらに小さなものとなる。そしてさらに、図１０（ｄ）に示すように測定カートリッジ１２の挿入先端側が少し上方斜めに上げられた状態では、球体７８は他端側に移動を開始するが、測定血液は先んじて他端側に流れ、測定流路４０の中央部の測定血液の厚さが少し減少する。そこで、図１１（ｄ）で示すように受光量に応じた信号値は少し増加する。さらに、図１０（ｅ）に示すように測定カートリッジ１２の挿入先端側がさらに上方斜めに上げられた状態で、球体７８が移動して測定流路４０の中央部まで移動すると、受光量が零となって、図１１（ｅ）で示すように受光量に応じた信号値は極端に減少する。さらに、図１０（ｆ）に示すように測定カートリッジ１２の挿入先端側がさらに上方斜めに上げられて最も上げられた状態では、球体７８は他端側にまで移動し、測定血液も他端側に溜まった状態である。この状態では、測定流路４０の中央部の底に付着している測定血液の厚さは薄いものである。そこで、図１１（ｆ）で示すように受光量に応じた信号値は大きなものとなる。この図１０（ｆ）の状態まで揺動されると、揺動方向が切り換えられて、こんどは図１０（ｇ）に示すように測定カートリッジ１２の挿入先端側が少し下げられる。この状態では、球体７８は未だ他端側にあり、測定血液も他端側に溜まった状態であるが、少し測定流路４０の中央部側に流動する。そこで、図１１（ｇ）で示すように受光量に応じた信号値は少し減少する。さらに、図１０（ｈ）に示すように測定カートリッジ１２の挿入先端側を少し下げて測定流路４０が水平状態となると、球体７８は未だ他端側にあるが、測定血液はその表面が水平となるようにさらに流動して、測定流路４０の中央部の測定血液がさらに厚くなる。そこで、図１１（ｈ）で示すように受光量に応じた信号値はさらに小さなものとなる。そしてさらに、図１０（ｉ）に示すように測定カートリッジ１２の挿入先端側が少し下方斜めに下げられた状態では、球体７８は先端側に移動を開始するが、測定血液は先んじて先端側に流れ、測定流路４０の中央部の測定血液の厚さが少し減少する。そこで、図１１（ｉ）で示すように受光量に応じた信号値は少し増加する。さらに、図１０（ｊ）に示すように測定カートリッジ１２の挿入先端側がさらに下方斜めに下げられた状態で、球体７８が移動して測定流路４０の中央部まで移動すると、受光量が零となって、図１１（ｊ）で示すように受光量に応じた信号値は極端に減少する。さらに、測定カートリッジ１２の挿入先端側がさらに下方斜めに下げられると、再び図１０（ａ）の状態に戻り、揺動方向が切り換えらる。なお、測定流路４０の上下の揺動は、一例として１分間に１０回程度の速度でおこなう。
【００２７】
上述のごとき揺動により、測定流路４０内の測定血液が徐々に凝固してゆき、この凝固に伴い、図１２に示すごとく、測定流路４０の底部に付着する測定血液の厚さがｔ１からｔ２へと増加する。この底部に付着する測定血液の層が厚くなるほど、透過する光量が減少して受光量に応じた信号値は減少する。また、測定血液の凝固が進行するほど透過する光量が減少する。なお、受光検出手段は、赤外光を用いているが、可視光を用いて血液を透過する波長の範囲を用いても良い。そこで、測定流路４０内に所定量の測定血液が吸引された状態で何度か（一例として、端部の上下揺動を１回として１０回程度の揺動）の揺動がなされ、測定流路４０の内壁が測定血液で濡れた状態で、初期値として受光量に応じた信号値が検出されて記憶される。なお、初期値の検出は、揺動を開始して所定時間後に検出するようにしても良い。この信号値の検出は、図１０（ａ）と（ｆ）の測定カートリッジ１２の挿入先端側が最も上方斜めに上げられまたは下方斜めに下げられた状態で検出する。これは、揺動機構３２のカム３４の動きを切り換え制御するのと同時に行えばよく、マイクロコンピュータ９０により揺動機構３２のフォトインタラプタ３８からの信号に応じて容易に行うことができる。測定カートリッジ１２が斜めの状態で信号値を検出するのは、測定流路４０の受光検出手段に臨む位置に、球体７８が存在しないとともに測定血液が溜まっていない状態で底部に付着した測定血液の層のみを検出するためである。
【００２８】
測定流路４０内の球体７８は、溝６２、６２内に塗布された凝固促進剤７６に直接には当接することがないので、測定流路４０内に測定血液が吸引されるまでは、球体７８の動きにより凝固促進剤７６が削られたり剥がされるようなことがない。そこで、測定カートリッジ１２の運搬中に、凝固促進剤７６の剥離等の不具合を生ずることがない。しかも、測定流路４０内に測定血液が吸引されて、凝固促進剤７６が測定血液中に溶解すると、球体７８の測定血液を撹拌する作用により、凝固促進剤７６が測定血液に均等に拡散される。もって、凝固時間の測定を安定して行うことができる。
【００２９】
カートリッジ収容部材２６に挿入収容された測定カートリッジ１２のシリンダ機構５２のピストン５４を、ロッド８０で所定寸法だけ押圧移動させるさいに、測定カートリッジ１２は、挿入方向と反対の抜け方向の力を受ける。そこで、図１３に示すように、測定カートリッジ１２の抜けを阻止するためのカートリッジ係止機構が設けられている。このカートリッジ係止機構は、測定カートリッジ１２に設けられた係止用凹部８４に、カートリッジ収納部材２６に設けられたプランジャー８６の係止用ロッド８８が突出して挿入されるように構成されている。そこで、図１３（ａ）のごとく、測定カートリッジ１２を挿入する前は係止用ロッド８８が突出していない状態であり、測定カートリッジ１２の挿入が可能である。そして、図１３（ｂ）のごとく、測定カートリッジ１２が所定位置まで挿入されてリミットスイッチ４６がＯＮとなった状態で、プランジャー８６が駆動されて係止用ロッド８８が突出して、測定カートリッジ１２に設けられた係止用凹部８４に挿入されて係合し、測定カートリッジ１２の抜けが阻止される。
【００３０】
本発明の血液凝固時間測定装置の全体的な動作につき説明する。図１４に示す血液凝固時間を測定するための機能ブロック図において、動作制御はマイクロコンピュータ９０によりなされる。このマイクロコンピュータ９０には、判別手段９２と時間計測手段９４の機能を有し、表示手段１８、電源スイッチ１４、スタートスイッチ１６、リミットスイッチ４６、電源回路９６、揺動機構制御手段９８とモーター３６およびそのフォトインタラプタ３８、ロッドスライド機構制御手段１００とモーター１０２およびそのフォトインタラプタ１０４、温度制御手段１０６とヒーター４８および温度センサー５０、発光措置４２と受光装置４４が接続されている。そしてその動作は、まず、電源スイッチ１４をＯＮにすると、温度センサー５０でカートリッジ収容部材２６の温度を検出して、温度制御手段１０６でヒーター４８をＯＮ／ＯＦＦ制御して、カートリッジ収容部材２６を例えば３７°Ｃの一定温度に維持する。そして、測定カートリッジ１２が挿入されてリミットスイッチ４６が操作されると、測定カートリッジ１２が所定位置まで挿入されたと確認できる。この測定カートリッジ１２が所定位置まで挿入された状態で血液注入口２２に測定血液を注入して、スタートスイッチ１６をＯＮすると、凝固時間の測定動作が開始される。ここで、リミットスイッチ４６が適切にＯＮとなっていない状態や、カートリッジ収容部材２６が所定の温度に維持されていない場合は、マイクロコンピュータ９０はスタートスイッチ１６がＯＮされても、凝固時間測定を開始しないようにプログラムされている。次に、スタートスイッチ１６がＯＮされて凝固時間測定を開始される動作を図１５のフローチャートにより説明する。スタートスイッチ１６がＯＮされると、カートリッジ係止機構のプランジャー８６が駆動されて、測定カートリッジ１２の抜けを阻止する状態とし、続いてロッドスライド機構５６を動作させて、ピストン５４を移動させ、測定流路４０に所定量の測定血液を吸引する（ステップ１）。測定流路４０に測定血液が吸引された状態で、揺動機構３２が動作されて、測定流路４０の揺動動作が開始される（ステップ２）。この揺動動作が所定回数の繰り返し（例えば１０回程度）または所定の時間経過（例えば１分程度）したか否かを判別し（ステップ３）、所定回数または所定時間が経過するまで揺動動作を繰り返し、所定回数または所定時間が経過すると、測定カートリッジ１２の先端側端部が最も上げられたときまたは下げられたときに初期値が検出されて記憶がなされる（ステップ４）。さらに、揺動動作が継続されると同時に時間測定が開始される（ステップ５）。揺動操作毎に信号値が検出され、初期値に対して信号値が変化し、判別手段９２によりその変化した割合が演算され、所定の割合（例えば３割の変化）またはそれ以上に変化したか否かが判別される（ステップ６）。所定の割合またはそれ以上に変化するまで、揺動動作と時間計測が継続される。そして、信号値の変化分が大きくなり、所定の割合またはそれ以上に変化して判別手段９２から判別信号が出力されると、揺動動作が停止されるとともに時間計測が停止される（ステップ７）。さらに、時間計測手段９４で測定された時間が表示���段１８により凝固時間として表示される（ステップ８）。また、カートリッジ係止手段による測定カートリッジ１２の係止が解放されるとともに、ロッドスライド機構５６のロッド８０が測定カートリッジ１２から抜き出されて（ステップ９）、一連の凝固時間測定動作が終了する。なお、ステップ８とステップ９が同時になされても良いし、動作の順序が逆であっても良い。ここで、受光装置４４の受光量に応じた信号値が判別手段９２に測定の間は常時与えられていて、測定流路４０が所定の傾きの状態となって判別動作を行うタイミングで、判別手段９２で信号値を適宜に取り込んで演算等がなされる。
【００３１】
上記した第１実施例にあっては、測定流路４０の上下の揺動を、１分間に１０回程度の速度で行っているが、この揺動の早さを速くすればより測定血液の凝固が促進される。そして、同じ揺動回数であっても、測定流路４０の長さ方向の距離が長ければ測定血液の移動する距離が長くなりそれだけ撹拌される激しさが大きくなり、凝固が促進される。また、凝固促進剤の種類および測定血液に混入する濃度により、凝固するまでの時間が変化する。また、凝固を判別する変化分を初期値に対して如何に設定するかで、測定される血液凝固時間は変化する。したがって、本発明の血液凝固時間測定装置で得られる血液凝固時間は、測定血液を撹拌する激しさや混入する凝固促進剤の種類とその濃度、さらには凝固したと判別する変化分の設定により変化する。そこで、予め、本発明の血液凝固時間測定装置で得られる血液凝固時間に対応させて、測定血液に凝固促進剤を混ぜない状態でしかも撹拌しない場合の測定血液が自然に凝固する血液凝固時間を測定しておけば、本発明の血液凝固時間測定装置で得られる血液凝固時間から、測定血液が自然に凝固する血液凝固時間を演算予測することができる。そこで、この演算予測された血液凝固時間から、適切な時点で抗凝固剤を投与することができる。
【００３２】
次に、図１６と図１７を参照して本発明の血液凝固時間測定装置の第２実施例で用いる測定カートリッジを説明する。図１６は、第２実施例で用いる測定カートリッジの構造を示す図であり、（ａ）は平面図であり、（ｂ）は（ａ）のＡ−Ａ断面矢視図であり、（ｃ）は（ａ）のＢ−Ｂ断面矢視図である。図１７は、図１６に示す測定カートリッジの使用方法を示す図であり、（ａ）は測定流路に分注器で測定血液を注入する図であり、（ｂ）は測定流路に分注器で測定血液が注入された状態示す図であり、（ｃ）は測定流路に測定血液が注入された測定カートリッジを長さ方向に強く振って、測定血液で測定流路の内壁を濡らした状態の図である。
【００３３】
第２実施例で用いる測定カートリッジ１１２の構造は、図１６に示すごとく、全体が透明部材からなる偏平形状であり、中心部材１１４の中央部に長さ方向に長い測定流路４０が上方から切削され、その上面が薄い封止材１１６で蓋がなされている。この封止材１１６には、測定流路４０に臨んで注入穴１１８が穿設されている。この第２実施例の測定カートリッジ１１２の全体の寸法は、一例として、長さが約８０ｍｍ、幅が約１３ｍｍ、厚さが約８ｍｍである。そして、図１７に示すごとく、まず分注器１２０で所定量の測定血液を採取し、その測定血液を（ａ）のごとく注入穴１１８から測定流路４０内に注入する。この測定血液が分注器１２０で測定流路４０に注入された状態では、（ｂ）のごとく、表面張力により測定血液が測定流路４０内を流動するようなことがない。そこで、測定カートリッジ１１２を測定流路４０の長さ方向に強く往復させて振ることで、表面張力に抗して測定血液を強制的に測定流路４０内を移動させて、測定流路４０の内壁を測定血液で濡らした（ｃ）のごとき状態とする。そして、第１実施例と同様に、測定装置本体１０の測定カートリッジ挿入口２４に挿入することで、第１実施例と同様に凝固時間を測定することができる。この第２実施例では、測定カートリッジ１１２を長さ方向に振ることで、測定流路４０の内壁を測定血液で濡らした状態としており、第１実施例のごとき球体７８が配設されていない。この球体７８が配設されていないため、測定流路４０の内壁に凝固促進剤７６を塗布しても何ら問題を生ずることがない。なお、第２実施例の測定カートリッジ１１２にあっても、第１実施例と同様に球体７８を測定流路４０内に配設しても良い。この測定流路４０内に球体７８を配設する場合は、第１実施例と同様に測定流路４０の底に溝６２を切削して設けて凝固促進剤７６を塗布すればよい。
【００３４】
なお、上述の実施例の説明にあっては、測定カートリッジ１２、１１２を測定装置本体１０のカートリッジ挿入口２４に長さ方向に挿入しているが、かかる構造に限られず、測定カートリッジ１２、１１２がその端部が上下に揺動されて、測定流路４０の中央部の底に付着する測定血液の層の厚さおよび凝固の進行に応じた受光量を検出し、その受光量に応じた信号値が出力されれば良いことは、容易に理解できるであろう。そこで、測定装置本体１０のカートリッジ収容部材２６を測定カートリッジ１２、１１２を幅方向に挿入収容する構造としても良い。さらに、カートリッジ収容部材２６に上方が開口された収容部を設けるとともに、その上方を覆う蓋体に受光検出手段の発光装置４２もしくは受光装置４４の一方を設け、カートリッジ収容部材２６に発光装置４２もしくは受光装置４４の他方を対応させて配設し、カートリッジ収容部材２６の収容部に上方から測定カートリッジ１２、１１２を収容し、さらに蓋体で覆って、第１実施例と同様に凝固時間を測定するようにしても良い。
【００３５】
また、受光検出手段は、測定流路４０の長さ方向の中央部に臨む位置に限られず、端部側であっても良い。測定流路４０が斜めに傾いた状態であるとともに受光検出手段に臨む位置に測定血液が溜まっていない状態であれば、測定流路４０の受光検出手段に臨む位置の底には、測定血液が付着しているだけの状態であり、信号値の検出が可能である。このように受光検出手段を端部に設けた構造では、測定流路４０の傾き方向によっては受光検出手段に臨む位置の測定流路４０内に測定血液が溜まっており、信号値の検出ができない。しかるに、測定流路４０の上下揺動で、少なくとも１回の信号値の検出は可能である。また、測定流路４０が所定の傾きの状態となって判別動作を行うタイミングで、受光検出手段が動作状態となって、受光装置４４の受光量に応じた信号値が判別手段９２に与えられるようにしても良い。
【００３６】
そして、第１実施例にあっては、測定流路４０内に配設される回転部材としての球体７８は、測定流路４０内を揺動に伴って長さ方向に移動自在であれば良く、球形状に限られず、回転部材が円板状であっても良い。この円板状とすると、円板の側面と測定流路４０の内壁の接触面積が大きくなり、移動に対して抵抗として作用する場合があるが、測定流路４０の内壁に円板の側面に接触する長さ方向の突条を設けたり、円板の側面の中央部に突起を設けるなどして、接触抵抗を小さなものとすればよい。また、円板の側面を外側が凸なる曲面としても良く、さらには側面形状は円形であるが縦断面形状が縦に長い楕円形であっても良い。また、球体４０は、測定血液より比重の重いものであれば良く、鉄製に限られず、ガラス製等であっても良い。
【００３７】
さらに、第２実施例にあっては、測定カートリッジ１１２の測定流路の一端側に測定血液を注入し、測定カートリッジ１１２をカートリッジ収容部材２６に収容させた状態で、他端側を下斜め方向に下げた状態の測定カートリッジ１１２に適宜な振動を与えて、表面張力に抗して測定血液を測定流路４０内で流動させ、もって測定流路４０の内壁を測定血液で濡らした状態とするようにしても良い。
【００３８】
そしてさらに、上記実施例において、カートリッジ収容部材２６の揺動軸２８を測定装置本体１０内で外側に近い位置に設けて、測定カートリッジ１２、１１２の挿入方向の先端側が上下に揺動するようにしたが、これに限られず、測定カートリッジ１２、１１２の略中央部に臨む位置に揺動軸２８を設けて、両端部が上下に揺動するようにしても良い。また、上記の実施例では、カートリッジ収容部材２６が測定装置本体１０の内部に配設されているが、これに限られず、カートリッジ収容部材２６の全体またはその一部が測定装置本体１０の外部となるように配設しても良い。
【図面の簡単な説明】
【００３９】
【図１】本発明の血液凝固時間測定装置の第１実施例の外観斜視図であり、測定装置本体と測定カートリッジからなり、測定装置本体に測定カートリッジを挿入する前の状態を示す。
【図２】図１の状態から、測定装置本体に測定カートリッジを挿入した状態を示す図である。
【図３】図２の状態の測定装置本体の内部を示す一部切り欠き図であり、（ａ）は一部切り欠き正面図であり、（ｂ）は（ａ）のＡ−Ａで一部切り欠いた側面図である。
【図４】測定装置本体内に設けられたカートリッジ収容部材の縦断面図と揺動機構を示す図である。
【図５】測定装置本体内でのカートリッジ収容部材の動きを示す図であり、（ａ）は先端部を斜め上方に揺動させた状態であり、（ｂ）は先端部を斜め下方に揺動させた状態である。
【図６】測定カートリッジの構造を示す図であり、（ａ）は一部切り欠き平面図であり、（ｂ）は側面図であり、（ｃ）は（ａ）のＡ−Ａ断面矢視図であり、（ｄ）は（ａ）のＢ−Ｂ断面矢視図である。
【図７】測定カートリッジに設けられた測定流路の構造を示し、（ａ）は平面図であり、（ｂ）は（ａ）のＡ−Ａ断面矢視図であり、（ｃ）は（ａ）のＢ−Ｂ断面矢視拡大図である。
【図８】測定カートリッジに設けられたシリンダ機構のピストンをロッドスライド機構のロッドで押圧することを示す図である。
【図９】シリンダ機構のピストンが押圧されて移動することで測定流路に所定量の測定血液が吸引されることを示す図であり、（ａ）のピストンがまだ押圧移動されていない状態では、（ｂ）のごとく測定血液は血液注入口に投入された状態にあり、（ｃ）のごとくピストンが押圧移動されると、（ｄ）のごとく血液注入口の測定血液の一部が測定流路への連通路まで吸引され、（ｅ）のごとくさらにピストンが所定長さだけ押圧移動されると、（ｆ）のごとく血液注入口の所定量の測定血液が連通路を経て測定流路へと吸引される。
【図１０】カートリッジ収容部に測定カートリッジを収容した状態で、揺動させたときの測定流路内の測定血液と球体の状態を示し、（ａ）の先端側を斜め下方に下げた状態から、先端側を上げてゆくと（ｂ）〜（ｅ）を経て（ｆ）の先端側を斜め上方に上げた状態となり、揺動方向が切り換えられて、先端側を下げてゆくと（ｇ）〜（ｊ）を経て、再び（ａ）の状態となる。
【図１１】図１０の揺動により受光検出手段の受光装置で得られる受光量に応じた信号値の変化を示す図である。
【図１２】揺動を開始させてから時間が経過することにより、測定血液の凝固が進むと、測定流路を斜めにした状態で受光検出手段に臨む位置で測定流路に付着する測定血液の層の厚さが変化することを示す図である。
【図１３】ロッドスライド機構でシリンダ機構のピストンを押圧した際に、測定カートリッジがカートリッジ収容部材から抜け出るのを阻止するためのカートリッジ係止機構を示す図であり、（ａ）は測定カートリッジを所定位置まで挿入する前の切り欠き平面図であり、（ｂ）は測定カートリッジが所定位置まで挿入されて係止された状態の切り欠き平面図である。
【図１４】血液凝固時間を測定するための機能ブロック図である。
【図１５】図１４の機能ブロック図における動作を説明するフローチャートである。
【図１６】第２実施例で用いる測定カートリッジの構造を示す図であり、（ａ）は平面図であり、（ｂ）は（ａ）のＡ−Ａ断面矢視図であり、（ｃ）は（ａ）のＢ−Ｂ断面矢視図である。
【図１７】図１６に示す測定カートリッジの使用方法を示す図であり、（ａ）は測定流路に分注器で測定血液を注入する図であり、（ｂ）は測定流路に分注器で測定血液が注入された状態示す図であり、（ｃ）は測定流路に測定血液が注入された測定カートリッジを長さ方向に強く振って、測定血液で測定流路の内壁を濡らした状態の図である。
【符号の説明】
【００４０】
１０  測定装置本体
１２  測定カートリッジ
１４  電源スイッチ
１６  スタートスイッチ
１８  表示手段
２０  開口部
２２  血液注入口
２４  カートリッジ挿入孔
２６  カートリッジ収容部材
２８  揺動軸
３０  ガイドピン
３２  揺動機構
３４  カム
３６  モーター
３８  フォトインタラプタ
４０  測定流路
４２  発光装置
４４  受光装置
４６  リミットスイッチ
４８  ヒーター
５０  温度センサー
５２  シリンダ機構
５４  ピストン
５６  ロッドスライド機構
５８  封止材
６０  中心部材
６２  溝
６４  シリンダ壁
６６  空気抜き孔
６８  連通路
７０  第２連通路
７２  ガスケット
７４  ブッシュ
７６  凝固促進剤
７８  球体
８０  ロッド
８４  係止用凹部
８６  プランジャー
８８  係止用ロッド
９０  マイクロコンピュータ
９２  判別手段
９４  時間計測手段
９６  電源回路
９８  揺動機構制御手段
１００  ロッドスライド機構制御手段
１０２  モーター
１０４  フォトインタラプタ
１０６  温度制御手段
１１２  測定カートリッジ
１１４  中心部材
１１６  封止材
１１８  注入穴
１２０  分注器
【図１】
2015200612.tif 000003
【図２】
2015200612.tif 000004
【図３】
2015200612.tif 000005
【図４】
2015200612.tif 000006
【図５】
2015200612.tif 000007
【図６】
2015200612.tif 000008
【図７】
2015200612.tif 000009
【図８】
2015200612.tif 000010
【図９】
2015200612.tif 000011
【図１０】
2015200612.tif 000012
【図１１】
2015200612.tif 000013
【図１２】
2015200612.tif 000014
【図１３】
2015200612.tif 000015
【図１４】
2015200612.tif 000016
【図１５】
2015200612.tif 000017
【図１６】
2015200612.tif 000018
【図１７】
2015200612.tif 000019